(57)【要約】      （修正有）【課題】ゴミの処分するタイミングを計れ、かつゴミ箱のゴミを適切に処理することができ、満杯になるようなことを未然に防げ、ゴミの投棄をしやすくなるゴミ容器を提供する。【解決手段】ゴミ箱のゴミの満杯を音波受発信装置で読み取って、その情報を無線システムで管理する者に情報伝達して、満杯を警報する。【選択図】図１
2012101865.tif 000002
【特許請求の範囲】
【請求項１】
ゴミ箱に音波受発信装置をつけたゴミ箱。
【請求項２】
ゴミ箱の音波受発信装置でゴミの満杯情報を無線で伝達するシステム。
【請求項３】
ゴミ箱のゴミの満杯情報を無線で受信する警報システム。
【請求項４】
ゴミ箱のゴミの満杯情報を無線で共有するネットワークシステム。
【請求項５】
ゴミ箱のゴミの満杯情報を無線で警報するネットワークシステム。
【請求項６】
ゴミ箱の音波受発信装置ならびにゴミの満杯情報を無線で伝達する回路に乾電池を使ったシステム。
【請求項７】
ゴミの満杯情報を無線で受信する警報システムに乾電池を使ったシステム。
【請求項８】
ゴミ箱にゴミの情報を伝達する無線装置をつけたゴミ箱。
【請求項９】
ゴミ箱に音波受発信装置と無線装置をつけたゴミ箱。
【請求項１０】
ゴミの満杯情報を無線で受信して、警報する
【発明の詳細な説明】
【技術分野】
【０００１】
本発明は、ゴミ箱内のゴミの溜まり具合を音波で検知して、満杯になると無線でゴミ箱を管理する者に警報するゴミ箱満杯無線警報システムに関する。
【発明の概要】
【発明が解決しようとする課題】
【０００２】
コンビニエンスストアや高速道路のパーキングエリア、公園などの公共エリアにゴミ箱は設置されている、ゴミ箱のゴミが満杯になると処分するタイミングによっては、ゴミがすでに満杯になっているためにゴミ箱からゴミがはみ出たり、ちらかったりする。ゴミ箱を管理する者にゴミ箱のゴミが満杯になった時点で、本発明のシステムで警報されれば、適当に処分ができる。また、ゴミ箱の様子を見る回数を低減することが可能になる。ゴミ箱内の上部あるいは側面に音波受発信装置をゴミ箱内の底部あるいは側面に向けて取り付けて、ゴミ箱内のゴミの容量を検知する。音波受発信装置は音波の反射時間をもとに距離を計測することが可能なため、距離が短くなることでゴミの満杯を検知して無線システムでゴミ箱を管理する者に無線で警報する、この場合、警報はブザー音やチャイム音、あるいはＬＥＤを点灯・点滅させたり、音声を発したりすることである。
【発明の効果】
【０００３】
ゴミは生活する上でかならず発生する、そのゴミのかたずけには注意を要することからゴミ箱の様子を見る回数は多い、公共施設に設置されたゴミ箱であるならば、ゴミ箱を管理する者と設置されたゴミ箱の距離は長いことがある。また、ゴミ箱に投棄されるゴミの量も多いためゴミ箱のゴミを処分する回数も多くある、すなわち処分する回数が多いため幾度もゴミ箱の様子を見て回るようなことには労力が必要である、本発明はその労力を低減する効果があり、ゴミの処分するタイミングを計れ、かつゴミ箱のゴミを適切に処理することができ、満杯になるようなことを未然に防げ、ゴミの投棄をしやすくなる。ゴミ箱が満杯になるとゴミを投棄しずらくなり、ゴミ箱周辺に投棄したりする人間の習性があるため景観を損なったり、満杯の状態で時間が経過するため異臭を放つ問題点がある。ゴミ箱内の上部あるいは側面に音波受発信装置を取り付けて、ゴミ箱内のゴミの容量を検知する。音波受発信装置は音波の反射時間を計測することでゴミの容量を把握することが可能なため、ゴミの満杯を検知して無線システムでゴミ箱を管理する者に無線で満杯の情報を警報システムへ伝達し警報する、この場合、警報はブザー音やチャイム音、あるいはＬＥＤを点灯・点滅させたり、音声を発したりすることである。コンビニエンストアの流通業や公共施設である高速道路のパーキングエリア、公園、駅構内などのゴミ箱の設置による。
【図面の簡単な説明】
【０００４】
【図１】音波受発信装置と無線装置をつけたゴミ箱の概観図である。
【０００５】
【図２】音波受発信装置と無線装置をつけたゴミ箱の扉を開けた概観図である。
【０００６】
【図３】音波受発信装置と無線装置ならびに無線受信警報装置の概観図である。
【０００７】
【図４】音波受発信装置と無線装置を取り付けたゴミ箱の断面図である。
【０００８】
【図５】本発明のシステム構成ならびにブロック図である。
【先行技術文献】
【特許文献】
【０００９】
【特許文献１】ゴミ箱に関する先行技術文献は見当たらなかった。
【実施例】
【００１０】
図１は音波受発信装置と無線装置をつけたゴミ箱の概観図である。１は筐体の概観である。矢印は電波の発信を模倣している。無線電波の送受信はBluetoothで可能である。また音波受発信装置における音波は超音波でもある。
【００１１】
図２は音波受発信装置と無線装置をつけたゴミ箱の扉を開けた概観図である。図１のゴミ箱の開閉扉を開けた状態で内部を記した。２は音波受発信装置とつながる無線装置のアンテナである。３はゴミ箱の筐体である。４は音波受発信装置と無線装置が格納されているボックスである。５は６のトレイに被せたビニール袋である。６はトレイである。７はゴミ箱の開閉扉である。実線の矢印は電波の発信を模倣している。破線の矢印は音波受発信装置から発せられる音波とその反射ならびに音波の受信を模倣している。
【００１２】
図３は音波受発信装置と無線装置ならびに無線受信警報装置の概観図である。矢印は電波を模倣している。９はゴミ箱からの無線を受信する警報システムのボックスで８はそのアンテナである。
【００１３】
図４は音波受発信装置を取り付けたゴミ箱の断面図である。１０は音波受発信装置の音波を発信する発信部であり、１１は音波受発信装置の音波を受信する受信部である。
【００１４】
図５は本発明のシステム構成ならびにブロック図である。
【図１】
2012101865.tif 000003
【図２】
2012101865.tif 000004
【図３】
2012101865.tif 000005
【図４】
2012101865.tif 000006
【図５】
2012101865.tif 000007
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
ゴミ箱に音波受発信装置を具備して、ゴミの投入物が底面から音波受発信装置までの高さを音波で計測して、ゴミ箱の積載情報を警報システムに無線で伝達する、かつ音波受発信装置による計測は一定時刻毎に行い、底面からの距離を情報として、ゴミ箱から見えない遠隔に位置する警報システムに送る。ゴミ箱が満杯になると、遠隔に設置した固定式の警報システムは、ゴミ箱の底面からの距離を条件に満杯を計算処理して、規定の高さを条件にして、音声と光（フラッシュ光）で警報することを特徴としたもの。
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
ゴミ箱に音波受発信装置をつけたゴミ箱であって、音波受発信装置が上方から底方向に向かって超音波を発信する手段と満杯情報をブルートゥース（Bluetooth：登録商標）で送信する手段を備えたことを特徴とするゴミ箱。
【請求項２】
満杯情報をブルートゥース（Bluetooth：登録商標）で共有するネットワークに接続されたことを特徴とする請求項１に記載のゴミ箱。
【請求項３】
ゴミの満杯情報をブルートゥース（Bluetooth：登録商標）で警報する手段を備えたことを特徴とする請求項１又は２に記載のゴミ箱。
【請求項４】
ごみ箱の音波受発信装置でゴミの満杯情報をブルートゥース（Bluetooth：登録商標）で伝達するシステムであって、ブルートゥース（Bluetooth：登録商標）ネットワークを介して無線受信部及び警報部に満杯情報を伝達し、警報するシステムを有するシステム。
【請求項５】
ゴミ箱が請求項１〜３のいずれか１項に記載のゴミ箱である請求項４又は５に記載のシステム。
【手続補正２】
【補正対象書類名】明細書
【補正対象項目名】００１０
【補正方法】変更
【補正の内容】
【００１０】
図１は音波受発信装置と無線装置をつけたゴミ箱の概観図である。１は筐体の概観である。矢印は電波の発信を模倣している。無線電波の送受信はBluetooth（ブルートゥース：登録商標）で可能である。また音波受発信装置における音波は超音波でもある。